(57)【要約】【課題】エレベの点検作業を能率よく行なえ、また運行中のエレベータに対するかご呼びボタンを利用客が容易かつ手軽に操作することができるエレベータの点検ボックス装置を提供する。【解決手段】複数のエレベータが互に隣り合って設置された建屋のエレベータホールの壁面に、その互に隣り合うエレベータの相互間に位置してメンテナンスボックス６を設け、このメンテナンスボックス６内に一方のエレベータを点検する際に操作する操作機器７ａ、および他方のエレベータを点検する際に操作する操作機器７ｂを設け、メンテナンスボックス６の前面の開口部に、かご呼びボタン１１および表示部１２ａ，１２ｂを有するフェースプレート１０を脱着可能に設け、エレベータ点検時にフェースプレート１０をメンテナンスボックス６の開口部の左右側の縁部に選択的に掛け止めることできるように掛け止め手段を設ける。【選択図】    図３
2005247570.tif 000002
【特許請求の範囲】
【請求項１】
複数のエレベータが互に隣り合って設置された建屋のエレベータホールの壁面に、前記互に隣り合うエレベータの相互間に位置して設けられ、エレベータの保守点検時に作業員により操作されるエレベータの点検ボックス装置であって、
前記壁面内に据え付けられ、前記エレベータホール側に開口部を有するメンテナンスボックスと、
前記メンテナンスボックス内に収納された、前記隣り合う一方のエレベータを点検する際に操作する操作機器、および他方のエレベータを点検する際に操作する操作機器と、
前記壁面とほぼ面一となるように前記メンテナンスボックスの前面の開口部に脱着可能に設けられ、表面には前記隣り合う双方のエレベータに対して共通するかご呼びボタンまたはその双方のエレベータの移動状況等を個々に表示する表示部が設けられたフェースプレートと、
前記フェースプレートを前記メンテナンスボックスの前面の開口部から取り外したときにそのフェースプレートを前記開口部に対して所定の角度となるようにその開口部の左右側のいずれの縁部にも選択的に掛け止めることを可能にする掛け止め手段と、
を備えることを特徴とするエレベータの点検ボックス装置。
【請求項２】
複数のエレベータが互に隣り合って設置された建屋のエレベータホールの壁面に、前記互に隣り合うエレベータの相互間に位置して設けられ、エレベータの保守点検時に作業員により操作されるエレベータの点検ボックス装置であって、
前記壁面内に据え付けられ、前記エレベータホール側に開口部を有するメンテナンスボックスと、
前記メンテナンスボックス内に収納された、前記隣り合う一方のエレベータを点検する際に操作する操作機器、および他方のエレベータを点検する際に操作する操作機器と、
前記壁面とほぼ面一となるように前記メンテナンスボックスの前面の開口部に離脱可能に設けられ、表面には前記隣り合う双方のエレベータに対して共通するかご呼びボタンまたはその双方のエレベータの移動状況等を個々に表示する表示部が設けられたフェースプレートと、
前記フェースプレートを前記メンテナンスボックスの前面の開口部から離脱可能に支持し、その離脱時に前記フェースプレートを前記開口部に対して所定の角度となるようにその開口部の左右側のいずれの縁部にも選択的に位置させることが可能な支持手段と、
を備えることを特徴とするエレベータの点検ボックス装置。
【請求項３】
前記メンテナンスボックス内には、前記フェースプレートに設けられたかご呼びボタンとは別のかご呼びボタンが設けられていることを特徴とする請求項１または２に記載のエレベータの点検ボックス装置。
【請求項４】
複数のエレベータが互に隣り合って設置された建屋のエレベータホールの壁面に、前記互に隣り合うエレベータの相互間に位置して設けられ、エレベータの保守点検時に作業員により操作されるエレベータの点検ボックス装置であって、
前記壁面内に据え付けられ、前記エレベータホール側に開口部を有するメンテナンスボックスと、
前記メンテナンスボックス内に収納された、前記隣り合う一方のエレベータを点検する際に操作する操作機器、および他方のエレベータを点検する際に操作する操作機器と、
前記壁面とほぼ面一となるように前記メンテナンスボックスの前面の開口部に脱着可能に設けられ、表面には前記双方のエレベータの移動状況等を個々に表示する表示部が設けられたフェースプレートと、
前記メンテナンスボックス内に左右方向に移動可能に設けられ、前記フェースプレートが前記メンテナンスボックスの前面の開口部に配置するときには、そのメンテナンスボックスに形成された開口を通してその表面に露出する前記双方のエレベータに対して共通するかご呼びボタンと、
を備えることを特徴とするエレベータの点検ボックス装置。
【発明の詳細な説明】
【技術分野】
【０００１】
この発明は、建屋のエレベータホールの壁面に設けられる点検ボックス装置に関する。
【背景技術】
【０００２】
近年、例えば建屋の最上階のエレベータホールの壁面に点検ボックス装置を設け、エレベータの保守点検時にその点検ボックス装置の操作機器を作業員が操作してエレベータの動作等を手動で制御しながら点検の作業を進めることができるシステムが採用されるようになってきている。
【０００３】
点検ボックス装置は、エレベータホールの壁面内に据え付けられたメンテナンスボックスと、このメンテナンスボックス内に収納された操作機器としての回路基板類やその操作用のボタン類と、前記メンテナンスボックスの前面の開口部にホール壁面とほぼ面一にかつ脱着可能に取り付けられたフェースプレートとで構成されている。
【０００４】
建屋に複数のエレベータが互に隣り合うように設置されている場合には、その互いに隣り合う一方のエレベータと他方のエレベータとの間におけるホール壁面に一つの点検ボックス装置が設けられる。
【０００５】
そしてこの点検ボックス装置のメンテナンスボックス内にその双方のエレベータの操作機器が個々に収納され、またメンテナンスボックスの開口部に脱着可能に取り付けられたフェースプレートの表面に、その双方のエレベータに対して共通するかご呼びボタンとその双方のエレベータにそれぞれ対応する二つの表示部が設けられる。
【０００６】
エレベータの保守点検の際には、まずホール壁面からフェースプレートを取り外してメンテナンスボックスの開口部を開放する。そしてフェースプレートのかご呼びボタンを操作してエレベータの乗りかごをそのエレベータホールに着床させ、またエレベータ出入口のドア装置を開放し、この状態のもとでメンテナンスボックス内の操作機器を操作して乗りかごの動作等を確認しながら点検作業を進める。
【０００７】
複数のエレベータが互に隣り合う場合には、エレベータの利用客に対するサービス性の観点から点検対象のエレベータのみの運行を停止し、残りのエレベータは通常通りの運行を継続するようにしている。
【発明の開示】
【発明が解決しようとする課題】
【０００８】
しかしながら、従来の点検ボックス装置においては、ホール壁面からフェースプレートを取り外したときに、そのフェースプレートをメンテナンスボックスの近辺のエレベータホールに立て掛けるなど、特に所定の位置に保持するようなことなく放置しているのが現状であり、このためフェースプレートが点検作業の邪魔となったり、フェースプレートが不用意に転倒して損傷するようなことがある。
【０００９】
エレベータが互に隣り合うときには、点検対象の一方のエレベータのみが運行を停止し、他方のエレベータは通常通り運行され、したがってそのエレベータを利用する利用客はホール壁面から取り外されたフェースプレートのかご呼びボタンを操作しなければならず、このためその操作がしづらく、また操作に戸惑いが生じ、利用客に対するサービス性が低下する。
【００１０】
この発明はこのような点に着目してなされたもので、その目的とするところは、エレベの点検作業を能率よく行なえ、また運行中のエレベータに対するかご呼びボタンを利用客が容易かつ手軽に操作することができるエレベータの点検ボックス装置を提供することにある。
【課題を解決するための手段】
【００１１】
請求項１の発明は、複数のエレベータが互に隣り合って設置された建屋のエレベータホールの壁面に、前記互に隣り合うエレベータの相互間に位置して設けられ、エレベータの保守点検時に作業員により操作されるエレベータの点検ボックス装置であって、前記壁面内に据え付けられ、前記エレベータホール側に開口部を有するメンテナンスボックスと、前記メンテナンスボックス内に収納された、前記隣り合う一方のエレベータを点検する際に操作する操作機器、および他方のエレベータを点検する際に操作する操作機器と、前記壁面とほぼ面一となるように前記メンテナンスボックスの前面の開口部に脱着可能に設けられ、表面には前記隣り合う双方のエレベータに対して共通するかご呼びボタンまたはその双方のエレベータの移動状況等を個々に表示する表示部が設けられたフェースプレートと、前記フェースプレートを前記メンテナンスボックスの前面の開口部から取り外したときにそのフェースプレートを前記開口部に対して所定の角度となるようにその開口部の左右側のいずれの縁部にも選択的に掛け止めることを可能にする掛け止め手段とを備えることを特徴としている。
【００１２】
請求項２の発明は、複数のエレベータが互に隣り合って設置された建屋のエレベータホールの壁面に、前記互に隣り合うエレベータの相互間に位置して設けられ、エレベータの保守点検時に作業員により操作されるエレベータの点検ボックス装置であって、前記壁面内に据え付けられ、前記エレベータホール側に開口部を有するメンテナンスボックスと、前記メンテナンスボックス内に収納された、前記隣り合う一方のエレベータを点検する際に操作する操作機器、および他方のエレベータを点検する際に操作する操作機器と、前記壁面とほぼ面一となるように前記メンテナンスボックスの前面の開口部に離脱可能に設けられ、表面には前記隣り合う双方のエレベータに対して共通するかご呼びボタンまたはその双方のエレベータの移動状況等を個々に表示する表示部が設けられたフェースプレートと、前記フェースプレートを前記メンテナンスボックスの前面の開口部から離脱可能に支持し、その離脱時に前記フェースプレートを前記開口部に対して所定の角度となるようにその開口部の左右側のいずれの縁部にも選択的に位置させることが可能な支持手段とを備えることを特徴としている。
【００１３】
請求項３の発明は、前記メンテナンスボックス内には、前記フェースプレートに設けられたかご呼びボタンとは別のかご呼びボタンが設けられていることを特徴としている。
【００１４】
請求項４の発明は、複数のエレベータが互に隣り合って設置された建屋のエレベータホールの壁面に、前記互に隣り合うエレベータの相互間に位置して設けられ、エレベータの保守点検時に作業員により操作されるエレベータの点検ボックス装置であって、前記壁面内に据え付けられ、前記エレベータホール側に開口部を有するメンテナンスボックスと、前記メンテナンスボックス内に収納された、前記隣り合う一方のエレベータを点検する際に操作する操作機器、および他方のエレベータを点検する際に操作する操作機器と、前記壁面とほぼ面一となるように前記メンテナンスボックスの前面の開口部に脱着可能に設けられ、表面には前記双方のエレベータの移動状況等を個々に表示する表示部が設けられたフェースプレートと、前記メンテナンスボックス内に左右方向に移動可能に設けられ、前記フェースプレートが前記メンテナンスボックスの前面の開口部に配置するときには、そのメンテナンスボックスに形成された開口を通してその表面に露出する前記双方のエレベータに対して共通するかご呼びボタンとを備えることを特徴としている。
【発明の効果】
【００１５】
この発明によれば、エレベータの点検作業を容易に能率よく行なえ、また点検作業中のエレベータに隣り合うエレベータが運行されている場合に、その運行中のエレベータに対するかご呼びボタンをエレベータホールの利用客が戸惑いなく容易に操作することができる。
【発明を実施するための最良の形態】
【００１６】
以下、この発明の実施形態について図面を参照して説明する。
【００１７】
図１ないし図３には第１の実施形態を示してあり、図１は建屋の最上階のエレベータホールの外観図で、この建屋には互いに隣り合って左右に並列する複数のエレベータが設置され、その各エレベータに対するそれぞれの出入口１がエレベータホールの壁面２に設けられている。なお、３はエレベータ出入口１を開閉するドア装置である。
【００１８】
エレベータホールの壁面２には、互に隣り合う出入口１の相互間に位置して点検ボックス装置５が設けられている。この点検ボックス装置５は、図２および図３に示すように、メンテナンスボックス６を備え、このメンテナンスボックス６はエレベータホールの壁面２内に据え付けられている。
【００１９】
そしてこのメンテナンスボックス６内には、エレベータホールから見た左側のエレベータに対する操作機器７ａと右側のエレベータに対する操作機器７ｂとが左右に分かれて収納されている。各操作機器７ａ，７ｂは、それぞれ回路基板類や操作ボタン類からなる。
【００２０】
また、メンテナンスボックス６の前面の開口部には壁面２とほぼ面一をなすようにフェースプレート１０が設けられている。このフェースプレート１０は板ばねやビス等による係止部材（図示せず）を介してメンテナンスボックス６に脱着可能に取り付けられている。
【００２１】
このフェースプレート１０の表面には、左右両側の双方のエレベータに対して共通するかご呼びボタン１１とその双方のエレベータにそれぞれ対応する二つのデジタル表示式の表示部１２ａ，１２ｂとが設けられている。
【００２２】
メンテナンスボックス６の前面の開口部には、掛け止め手段として、その上部の内側両側部に吊り片１３が、下部の内側両側部に支え片１４がそれぞれその開口部の前方に対して引出し可能に設けられている。すなわち、これら吊り片１３および支え片１４はメンテナンスボックス６にその前後方向にスライド自在に取り付けられ、メンテナンスボックス６の内部に納まる状態から必要に応じてメンテナンスボックス６の前方に所定の長さだけ引き出すことができるようになっている。
【００２３】
そして、各吊り片１３にはその引出し側の端部にスリット状の掛け孔１６が形成され、また各支え片１４にはその引出し側の端部にスタッドボルト１７が取り付けられている。
【００２４】
フェースプレート１０の裏面の上部には左右に分かれて前記掛け孔１６と係脱可能な一対の掛け片１９が取り付けられ、また下部には左右に分かれて一対の固定片２０が取り付けられ、これら固定片２０の先端縁部に前記スタッドボルト１７と係脱可能なＵ字状の切欠部２１が形成されている。
【００２５】
通常時には、前記吊り片１３および支え片１４はメンテナンスボックス６内に収納され、メンテナンスボックス６の前面の開口部がフェースプレート１０により閉塞されている。
【００２６】
そして、エレベータの点検時には、まずホール壁面２からフェースプレート１０を取り外してメンテナンスボックス６の開口部を開放する。次に、吊り片１３および支え片１４をそれぞれメンテナンスボックス６の前方側に引き出す。
【００２７】
そして、メンテナンスボックス６の左側のエレベータが点検対象である場合には、図３に実線で示すように、フェースプレート１０の上部の片方の掛け片１９をメンテナンスボックス６の右側の吊り片１３における掛け孔１６内に差し込むとともに、フェースプレート１０の下部の片方の固定片２０における切欠部２１をメンテナンスボックス６の右側の支え片１４におけるスタッドボルト１７に差し込み、さらにそのスタッドボルト１７に蝶ナット２２を螺着して締め付ける。これによりフェースプレート１０がメンテナンスボックス６の前面の右側にその前面とほぼ直角にかつ表面のかご呼びボタン１１および表示部１２ａ，１２ｂがメンテナンスボックス６の右側方を向くように掛け止められる。
【００２８】
このように、フェースプレート１０をメンテナンスボックス６に掛け止めた状態のもとで、作業員がかご呼びボタン１１を操作し、点検対象である左側のエレベータの乗りかごをエレベータホールに着床させ、またエレベータ出入口１のドア装置３を開放する。
【００２９】
この状態のもとで、メンテナンスボックス６内の左側の操作機器７ａを作業員が操作しながら左側のエレベータに対する点検作業を進める。
【００３０】
この際、フェースプレート１０はメンテナンスボックス６の右側に取り付けられており、このため乗りかごを見ながら操作機器７ａを操作する際にそのフェースプレート１０が邪魔となるようなことがなく、作業を能率よく行なうことができる。
【００３１】
左側のエレベータの点検中においても、右側のエレベータは通常通り運行されており、したがって右側のエレベータを利用する利用客は、フェースプレート１０のかご呼びボタン１１を操作するわけであるが、この際、フェースプレート１０はメンテナンスボックス６の右側の縁部に支持されており、このためその操作を戸惑いなく容易かつ手軽に行なえ、左側のエレベータが点検中であっても右側のエレベータを支障なく利用することができる。
【００３２】
一方、右側のエレベータを点検するときには、図３に鎖線で示すように、フェースプレート１０をメンテナンスボックス６の左側に掛け止める。すなわち、フェースプレート１０の上部の片方の掛け片１９をメンテナンスボックス６の左側の吊り片１３における掛け孔１６内に差し込むとともに、フェースプレート１０の下部の片方の固定片２０における切欠部２１をメンテナンスボックス６の左側の支え片１４におけるスタッドボルト１７に差し込み、さらにそのスタッドボルト１７に蝶ナット２２を螺着して締め付ける。
【００３３】
これによりフェースプレート１０がメンテナンスボックス６の前面の左側にその前面とほぼ直角にかつ表面のかご呼びボタン１１および表示部１２ａ，１２ｂがメンテナンスボックス６の左側方を向くように掛け止められる。
【００３４】
したがって、右側のエレベータをメンテナンスボックス６内の右側の操作機器７ｂを作業員が操作して点検する際に、フェースプレート１０が邪魔となることなくその作業を能率よく行なうことができる。
【００３５】
そして右側のエレベータの点検中には、左側のエレベータが運行され、その左側のエレベータを利用する利用客がフェースプレート１０のかご呼びボタン１１を操作するわけであるが、この際、フェースプレート１０はメンテナンスボックス６の左側の縁部に支持されており、このためその操作を戸惑いなく容易かつ手軽に操作でき、右側のエレベータが点検中であっても左側のエレベータを支障なく利用することができる。
【００３６】
図４には第２の実施形態を示してあり、この実施形態においては、フェースプレート１０が支持手段としてのリンクバー２５を介してメンテナンスボックス６の開口部に開閉動作可能に取り付けられている。すなわち、フェースプレート１０の裏面の上下部にブラケット２６が取り付けられ、これらブラケット２６にそれぞれピン２７を介してリンクバー２５の一端部が回動自在に枢着されている。
【００３７】
各リンクバー２５にはその長手方向に沿って延びる長孔２８が形成され、またメンテナンスボックス６の上下の内面にそれぞれ支軸２９が取り付けられ、これら支軸２９が前記リンクバー２５の長孔２８内に遊動自在に嵌合し、これら支軸２９を介してリンクバー２５と共にフェースプレート１０がメンテナンスボックス６に支持されている。なお、３０はフェースプレート１０の下部のブラケット２６とリンクバー２５とを締結してフェースプレート１０の開閉動作を規制するための蝶ナットである。
【００３８】
通常時には、各リンクバー２５がメンテナンスボックス６内に押しこまれてフェースプレート１０がメンテナンスボックス６の前面の開口部に対向するように保持されている。そして、メンテナンスボックス６の左側のエレベータを点検する際には、フェースプレート１０をメンテナンスボックス６の前方側に引き出すとともに右側に寄せ、かつメンテナンスボックス６の前面とほぼ直角となる姿勢にし、さらに蝶ナット３０を締め付けてその姿勢を保持する。
【００３９】
また、メンテナンスボックス６の右側のエレベータを点検する際には、フェースプレート１０をメンテナンスボックス６の前方側に引き出すとともに左側に寄せ、かつメンテナンスボックス６の前面とほぼ直角となる姿勢にし、さらに蝶ナット３０を締め付けてその姿勢を保持する。
【００４０】
このような構成においても、前記第１の実施形態の場合と同様の効果を得ることができる。
【００４１】
図５および図６には第３の実施形態を示してある。この実施形態においては、図示しないがフェースプレートがメンテナンスボックス６の前面の開口部に取り外し可能に設けられている。図５はそのフェースプレートを取り外した状態のメンテナンスボックス６の正面図を、図６はその断面図を示してある。
【００４２】
メンテナンスボックス６内の奥方部には、左側のエレベータに対する操作機器７ａと右側のエレベータに対する操作機器７ｂとが左右に分かれて収納されている。さらにメンテナンスボックス６内には、各操作機器７ａ，７ｂに対向する仕切板３５ａ，３５ｂが左右に分かれて設けられている。各仕切板３５ａ，３５ｂはそれぞれその下端がヒンジ３６を介してメンテナンスボックス６の前後方向に回動可能に支持されている。
【００４３】
そして、左側の仕切板３５ａの表面には左側のエレベータに対応するかご呼びボタン３７ａが設けられ、右側の仕切板３５ｂの表面には右側のエレベータに対応するかご呼びボタン３７ｂが設けられている。なお、メンテナンスボックス６の前面に設けられるフェースプレート（図示せず）には、前記かご呼びボタン３７ａ，３７ｂとは別に左右側のエレベータに対する共通のかご呼びボタン（図示せず）が設けられ、通常時にはエレベータの利用客がそのフェースプレートのかご呼びボタンを操作する。
【００４４】
左側のエレベータを点検する際には、メンテナンスボックス６の前面からフェースプレートを取り外してその前面を開放した後に、左側のかご呼びボタン３７ａを作業員が操作して左側のエレベータのかごをエレベータホールに着床させる。この後、左側の仕切板３５ａを前方に回動して左側の操作機器７ａを露出させ、この状態でその操作機器７ａを作業員が操作して左側のエレベータに対する点検を行なう。
【００４５】
この際、右側の仕切板３５ｂは起立しており、このため運行されている右側のエレベータを利用する利用客はその仕切板３５ｂのかご呼びボタン３７ｂを戸惑いなく容易かつ手軽に操作でき、左側のエレベータが点検中であっても右側のエレベータを支障なく利用することができる。
【００４６】
右側のエレベータを点検する際には、メンテナンスボックス６の前面からフェースプレートを取り外してその前面を開放した後に、右側のかご呼びボタン３７ｂを作業員が操作して右側のエレベータのかごをエレベータホールに着床させる。この後、右側の仕切板３５ｂを前方に回動して右側の操作機器７ｂを露出させ、この状態でその操作機器７ｂを作業員が操作して右側のエレベータに対する点検を行なう。
【００４７】
この際、左側の仕切板３５ａは起立しており、このため運行されている左側のエレベータを利用する利用客はその仕切板３５ａのかご呼びボタン３７ａを戸惑いなく容易かつ手軽に操作でき、右側のエレベータが点検中であっても左側のエレベータを支障なく利用することができる。
【００４８】
図７ないし図９には第４の実施形態を示してある。図７はメンテナンスボックス６の前面にフェースプレート１０が取り付けられているときの正面図、図８はそのフェースプレート１０を取り外したときのメンテナンスボックス６の正面図、図９はそのメンテナンスボックス６の断面図である。
【００４９】
この実施形態においては、フェースプレート１０はメンテナンスボックス６の前面の開口部に取り外し可能に設けられ、このフェースプレート１０の表面に左右側のエレベータにそれぞれ対応する二つのデジタル表示式の表示部１２ａ，１２ｂが設けられ、またその表示部１２ａ，１２ｂの下方部に開口４０が形成されている。
【００５０】
メンテナンスボックス６内の奥方部には、左側のエレベータに対する操作機器７ａと右側のエレベータに対する操作機器７ｂとが左右に分かれて収納されている。
【００５１】
また、メンテナンスボックス６の前面の下部には、上下に位置して一対の桟材４２が架設され、これら桟材４２の左右部と中間部にそれぞれ取付孔４４ａ，４４ｂ，４４ｃが形成されている。一対の桟材４２間には支持板４５が設けられ、この支持板４５に左右側の双方のエレベータに対する共通のかご呼びボタン４６が取り付けられている。
【００５２】
支持板４５の上下縁には前記各取付孔４４ａ，４４ｂ，４４ｃに係脱可能な係合片４８が一体的に形成され、通常時にはその係合片４８が前記桟材４２に形成された中間部の取付孔４４ｃに挿入されて係合し、これにより支持板４５がメンテナンスボックス６の前面の左右方向の中間部に配置され、その表面のかご呼びボタン４６が前記フェースプレート１０の開口４０を通して外部に露出され、このかご呼びボタン４６をエレベータの利用客が操作することができるようになっている。
【００５３】
エレベータを点検する際には、メンテナンスボックス６の前面からフェースプレート１０を取り外してその前面を開放する。そして、左側のエレベータを点検するときには、中間部に配置されている支持板４５を取り外し、その係合片４８を右側の取付孔４４ｂに差し込んで支持板４５をメンテナンスボックス６の前面の右側に配置させる。
【００５４】
この際、右側のエレベータは通常通り運行されているが、かご呼びボタン４６が支持板４５と共にメンテナンスボックス６の右側に配置されているから、右側のエレベータを利用する利用客はそのかご呼びボタン４６を戸惑いなく容易かつ手軽に操作でき、左側のエレベータが点検中であっても右側のエレベータを支障なく利用することができる。
【００５５】
また、右側のエレベータを点検するときには、支持板４５を取り外し、その係合片４８を左側の取付孔４４ａに差し込んで支持板４５をメンテナンスボックス６の前面の左側に配置させる。
【００５６】
この際、左側のエレベータは通常通り運行されているが、かご呼びボタン４６が支持板４５と共にメンテナンスボックス６の左側に配置されているから、左側のエレベータを利用する利用客はそのかご呼びボタン４６を戸惑いなく容易かつ手軽に操作でき、右側のエレベータが点検中であっても左側のエレベータを支障なく利用することができる。
【図面の簡単な説明】
【００５７】
【図１】この発明の第１の実施形態に係る点検ボックス装置が設置されたエレベータホールの外観を示す斜視図。
【図２】その点検ボックス装置の正面図。
【図３】その点検ボックス装置の斜視図。
【図４】この発明の第２の実施形態に係る点検ボックス装置を示す斜視図。
【図５】この発明の第３の実施形態に係る点検ボックス装置を示す正面図。
【図６】その点検ボックス装置の断面図。
【図７】この発明の第４の実施形態に係る点検ボックス装置を示す正面図。
【図８】その点検ボックス装置のフェースプレートを取り外した状態の正面図。
【図９】その点検ボックス装置の断面図。
【符号の説明】
【００５８】
１…エレベータ出入口、２…壁面、３…ドア装置、５…点検ボックス装置、６…メンテナンスボックス、７ａ，７ｂ…操作機器、１０…フェースプレート、１１…かご呼びボタン、１３…吊り片、１４…支え片、１６…掛け孔、１７…スタッドボルト、１９…掛け片、２０…固定片、２１…切欠部、２２…蝶ナット、２５…リンクバー、２６…ブラケット、２７…ピン、２８…長孔、２９…支軸、３０…蝶ナット、３５ａ，３５ｂ…仕切板、３６…ヒンジ、３７ａ，３７ｂ…かご呼びボタン、４０…開口、４２…桟材、４４ａ，４４ｂ，４４ｃ…取付孔、４５…支持板、４６…かご呼びボタン、４８…係合片。
【図１】
2005247570.tif 000003
【図２】
2005247570.tif 000004
【図３】
2005247570.tif 000005
【図４】
2005247570.tif 000006
【図５】
2005247570.tif 000007
【図６】
2005247570.tif 000008
【図７】
2005247570.tif 000009
【図８】
2005247570.tif 000010
【図９】
2005247570.tif 000011